(57)【特許請求の範囲】
【請求項１】
電子部品を搭載した制御基板を収納した基板ボックスを設けた遊技機において、
遊技機本体に対して回動可能に軸着する回動軸を有し、前記基板ボックスを当該遊技機本体に取り付けるための取付部材と、
前記取付部材に対して前記基板ボックスを固着する固着手段と、を備え、
前記固着手段は、
前記基板ボックス側に設けられる第１構成部材と、
前記取付部材側に設けられ、当該取付部材及び前記基板ボックスを前記第１構成部材とともに挟む第２構成部材と、
前記第１構成部材及び前記第２構成部材のうちの少なくとも何れか一方に設けられ、前記基板ボックス及び前記取付部材のうちの少なくとも何れか一方の所定部位に係止する係止部と、
前記取付部材及び前記基板ボックスを挟んだ前記第１構成部材と前記第２構成部材を固着する固着部と、
を備え、
前記基板ボックスは、
第１ボックス構成部材と、
第２ボックス構成部材と、
前記第１ボックス構成部材及び前記第２ボックス構成部材を固着するボックス固着手段と、を備え、
前記第１構成部材及び前記第２構成部材は、
前記基板ボックスの前記ボックス固着手段が配設される端部とは反対側の端部を覆う被覆部と、
前記固着部と前記被覆部とを接続する接続部と、
をそれぞれ備え、
前記固着部または前記接続部の何れか一方が破壊されることで固着が解除され、
前記取付部材、前記第１ボックス構成部材、前記第２ボックス構成部材、前記第１構成部材及び前記第２構成部材は、透光性部材によって内部の前記制御基板が視認可能に構成され、
前記第２構成部材には、前記回動軸を該第２構成部材よりも外側に突出させるための開口部が形成されていることを特徴とする遊技機。
【請求項２】
前記固着部は、前記第１構成部材に設けられるかしめ部と、前記第２構成部材に設けられるかしめ受部と、を備え、
前記第２構成部材は、前記係止部を備え、
前記取付部材の裏面側には、前記係止部が係止される補強リブが形成され、
前記第１構成部材は、前記係止部が前記補強リブに係止された状態の前記第２構成部材に対して、スライドさせることで取り付け可能なスライド機構を有し、
前記第２構成部材に対して前記第１構成部材が取り付けられると、前記かしめ部と前記かしめ受部とが当接状態となり、固着可能になることを特徴とする請求項１に記載の遊技機。
【請求項３】
前記第１ボックス構成部材は、内部の前記制御基板との電気的な接続を可能にするために設けられた第１接続用開口部を備え、
前記第１構成部材は、
前記第２構成部材に対して前記第１構成部材が取り付けられた場合における前記第１接続用開口部に対応する位置に第２接続用開口部を有し、
前記第２接続用開口部の側方に前記固着部を設けたことを特徴とする請求項２に記載の遊技機。
【発明の詳細な説明】
【技術分野】
【０００１】
本発明は、基板ボックスを備える遊技機に関する。
【背景技術】
【０００２】
従来、遊技制御基板等を収納する基板ボックスは、基板を収納した状態で収納部材（上蓋部材）とベース部材とをスライド等により取り付け、特殊な工具（例えば、ドライバー）を使用してワンウェイネジ（単方向ネジ）を締めて固定し、さらにその上から合成樹脂製のビス押さえ部材（封止キャップ）を嵌め込んで強固に取り付けるようにしたかしめ構造が採用されている。
従って、基板ボックスを開放する際には、収納部材とベース部材とかしめ部を破壊する必要があり、不正に基板ボックスが開口された際には、破壊した痕跡が残るようになっている（例えば、特許文献１参照）。
【特許文献１】特開平１０−２６３１７１号公報
【発明の開示】
【発明が解決しようとする課題】
【０００３】
しかしながら、上記のような従来の基板ボックスの構成では、当該基板ボックスを遊技機本体から容易に取り外すことができるため、その後、収納部材とベース部材との合わせの部位や、そこに形成される僅かな隙間に専用工具等を挿入して、かしめ部が破壊されないように合わせの隙間を広げて、ボックス内部に不正部材を挿入したり、あるいはその隙間から基板上のＲＯＭ等を不正なものに交換する等の不正行為が行われる可能性があった。
【０００４】
そこで、本発明は、上記事情に鑑みてなされたものであって、遊技機本体から基板ボックスを取り外し難くすることができ、当該基板ボックスに対する不正を防止することができる遊技機を提供することを目的とする。
【課題を解決するための手段】
【０００５】
以上の課題を解決するため、請求項１に記載の発明は、
電子部品を搭載した制御基板を収納した基板ボックスを設けた遊技機において、
遊技機本体に対して回動可能に軸着する回動軸を有し、前記基板ボックスを当該遊技機本体に取り付けるための取付部材と、
前記取付部材に対して前記基板ボックスを固着する固着手段と、を備え、
前記固着手段は、
前記基板ボックス側に設けられる第１構成部材と、
前記取付部材側に設けられ、当該取付部材及び前記基板ボックスを前記第１構成部材とともに挟む第２構成部材と、
前記第１構成部材及び前記第２構成部材のうちの少なくとも何れか一方に設けられ、前記基板ボックス及び前記取付部材のうちの少なくとも何れか一方の所定部位に係止する係止部と、
前記取付部材及び前記基板ボックスを挟んだ前記第１構成部材と前記第２構成部材を固着する固着部と、
を備え、
前記基板ボックスは、
第１ボックス構成部材と、
第２ボックス構成部材と、
前記第１ボックス構成部材及び前記第２ボックス構成部材を固着するボックス固着手段と、を備え、
前記第１構成部材及び前記第２構成部材は、
前記基板ボックスの前記ボックス固着手段が配設される端部とは反対側の端部を覆う被覆部と、
前記固着部と前記被覆部とを接続する接続部と、
をそれぞれ備え、
前記固着部または前記接続部の何れか一方が破壊されることで固着が解除され、
前記取付部材、前記第１ボックス構成部材、前記第２ボックス構成部材、前記第１構成部材及び前記第２構成部材は、透光性部材によって内部の前記制御基板が視認可能に構成され、
前記第２構成部材には、前記回動軸を該第２構成部材よりも外側に突出させるための開口部が形成されていることを特徴とする。 
【０００６】
請求項１に記載の発明によれば、取付部材に対して基板ボックスを固着する固着手段は、基板ボックス側に設けられる第１構成部材と、取付部材側に設けられ、当該取付部材及び基板ボックスを第１構成部材とともに挟む第２構成部材と、取付部材及び基板ボックスを挟んだ第１構成部材と第２構成部材を固着する固着部とを備えるので、基板ボックスを取付部材から不正に取り外すことを防止できることとなり、当該基板ボックスに対して工具を使用して隙間を形成して行われる不正を防止することができる。また、仮に不正行為が行われた場合には、固着部が破壊されることによりその痕跡が残り、不正行為が行われたことを迅速に発見することができる。
さらに、固着手段は、第１構成部材及び第２構成部材のうちの少なくとも何れか一方に設けられ、基板ボックス及び取付部材のうちの少なくとも何れか一方の所定部位に係止する係止部を備えるので、固着部により固着された第１構成部材及び第２構成部材を取付部材から取り外すことも不可能となり、不正行為をより一層防止することができる。
【０００７】
また、請求項１に記載の発明によれば、固着手段は、基板ボックスのボックス固着手段が配設される端部とは反対側の端部を覆う被覆部を有するので、基板ボックスの一方の端部にボックス固着手段を備えた構成であっても、ボックス固着手段と反対側の端部における第１ボックス構成部材と第２ボックス構成部材の接合部分に工具を挿入し、第１ボックス構成部材と第２ボックス構成部材を開放する方向に力を加えて、ボックス固着手段を破壊しないで、即ち、樹脂の弾力により力を吸収して、その反対側の端部に隙間を形成したり、或いは、ボックス固着手段を破壊しないで第１ボックス構成部材が第２ボックス構成部材から取り外されてしまう不正行為を適正に防止することができる。特に、基板ボックスをスライド開放するように構成して、ボックス固着手段とは反対側の端部に第１ボックス構成部材と第２ボックス構成部材の重合部が形成される構成にした場合であっても、その重合部に工具を差し込んで基板ボックスを開放する方向に強引にスライドすることで、上記不正行為が行われやすくなるが、その場合にも被覆部を形成することで、上記重合部への工具の差し込みを防止でき確実に不正行為を防止することができる。さらに、基板ボックスを取付部材に取り付けた状態で行われる不正行為に対しても有効となる。
【０００８】
また、請求項１に記載の発明によれば、取付部材は、当該遊技機本体に対して回動可能に軸着する回動軸を有し、第２構成部材には、回動軸を外部に突出させるための開口部が形成されているので、基板ボックスが取り付けられた取付部材を遊技機本体に対して回動自在に取り付けることができ、取付部材の回動には何ら問題なく不正行為を防止することができる。
【０００９】
請求項２に記載の発明は、請求項１に記載の遊技機において、
前記固着部は、前記第１構成部材に設けられるかしめ部と、前記第２構成部材に設けられるかしめ受部と、を備え、
前記第２構成部材は、前記係止部を備え、
前記取付部材の裏面側には、前記係止部が係止される補強リブが形成され、
前記第１構成部材は、前記係止部が前記補強リブに係止された状態の前記第２構成部材に対して、スライドさせることで取り付け可能なスライド機構を有し、
前記第２構成部材に対して前記第１構成部材が取り付けられると、前記かしめ部と前記かしめ受部とが当接状態となり、固着可能になることを特徴とする。
【００１０】
請求項２に記載の発明によれば、第２構成部材は係止部を備え、当該係止部を取付部材の裏面側に形成された補強リブに係止させたので、固着部により固着された第１構成部材及び第２構成部材を取付部材から取り外すことを補強リブを利用して確実に防止することができる。
また、請求項２に記載の発明によれば、第２構成部材に１構成部材を簡単に取り付ける際に、固着部の位置決めも簡単に行うことができる。
【００１１】
請求項３に記載の発明は、請求項１または２に記載の遊技機において、
前記第１ボックス構成部材は、内部の前記制御基板との電気的な接続を可能にするために設けられた第１接続用開口部を備え、
前記第１構成部材は、
前記第２構成部材に対して前記第１構成部材が取り付けられた場合における前記第１接続用開口部に対応する位置に第２接続用開口部を有し、
前記第２接続用開口部の側方に前記固着部を設けたことを特徴とする。
【発明の効果】
【００１３】
本発明によれば、取付部材から基板ボックスを不正に取り外すことを防止でき、当該基板ボックスに対して工具を使用して隙間を形成して行われる不正を防止することができる。また、仮に不正行為が行われた場合には、破壊箇所の発生によりその痕跡が残り、不正行為が行われたことを迅速に発見することができる。
さらに、固着部により固着された第１構成部材及び第２構成部材を取付部材から取り外すことも不可能となり、不正行為をより一層防止することができる。
【発明を実施するための最良の形態】
【００１４】
以下、この発明の実施形態について図面を参照して説明する。
ここでは、本発明にかかる遊技機１００の適例としてのパチンコ遊技機１００について図１〜図８を用いて説明を行う。
【００１５】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１６】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１７】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００１８】
以下に、遊技制御装置１０について図２〜図８を参照して詳細に説明する。
遊技制御装置１０は、遊技機１００の制御を行う遊技制御基板（図示略）を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００１９】
遊技制御基板は、図示は省略するが、外形が略矩形状の基板であって、前面には他の装置と接続するための複数のコネクタ１３、…（図１参照）が設けられているとともに、図示しないＣＰＵ、ＲＯＭ、ＲＡＭ内蔵のワンチップＩＣ等の電子部品が配されている。この遊技制御基板においては、例えば、大当たりの抽選や、遊技の進行制御などの遊技に関する種々の処理がなされるようになっており、このような制御を行う遊技制御基板に対する不正行為を防止するために、遊技制御基板は基板ボックス１２に収納されている。
なお、図２、図４及び図５にあっては、コネクタ１３の図示は省略している。
【００２０】
基板ボックス１２は、遊技制御装置１０の前面側を構成するとともに遊技制御基板を収納する第１ボックス構成部材２０と、後面側を構成する第２ボックス構成部材４０とを備え、第１ボックス構成部材２０と第２ボックス構成部材４０は正面視にて右側側部に設けられたボックス固着部７０により固着されている。
これにより、遊技制御基板が基板ボックス１２に完全に内包された状態となり、遊技制御基板に対する不正行為を防止するようになっている。
【００２１】
第１ボックス構成部材２０は、例えば、透光性の合成樹脂で形成されており、内部に収納した遊技制御基板を視認可能となっている。また、第１ボックス構成部材２０は、遊技制御基板の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板がネジ止め等により取付固定されている。
【００２２】
収納凹部２３は、前面側に膨らんで内側に遊技制御基板を収納するものであり、遊技制御基板のコネクタ１３、…が設けられた部分に合わせて、遊技制御基板と対向する前面壁２１の一部分が後面側に凹んで段部２４、…が形成されている。また、段部２４、…にはコネクタ１３が挿通されるコネクタ挿通開口部２５、…が設けられている。
このコネクタ挿通開口部２５、…に、基板ボックス１２に収納された遊技制御基板のコネクタ１３、…が挿入されて遊技制御装置１０の前面側に露出するようになっており、これによって遊技制御基板への配線が可能となっている。
また、コネクタ１３、…がコネクタ挿通開口部２５、…に挿入されることで、遊技制御基板は上下左右方向への移動が規制されるようになり、さらには、段部２４、…に遊技制御基板の前面が当接し、遊技制御基板の前方への移動が規制される。即ち、段部２４、…及びコネクタ挿通開口部２５、…は、第１ボックス構成部材２０に対する遊技制御基板の位置決めを行う機能も有する。
なお、遊技制御基板に設けるコネクタ１３、…は一部分に集中させないで、複数箇所に分散して設けられており、遊技制御基板が適切な位置に確実に保持されるようにされている。
【００２３】
また、４つの側壁部２２、…のうち、上下の側壁部２２、２２における外側の面には、当該側壁部２２に対して垂直に外側に突出する直方体状のボックススライド係合部（図示略）が複数形成されている。
ボックススライド係合部は、第２ボックス構成部材４０に形成されたボックススライド係合受部４６と係合可能であり、これにより第１ボックス構成部材２０と第２ボックス構成部材４０とが接合されるようになっている。
【００２４】
また、４つの側壁部２２、…のうち、左側の側壁部２２における外側の面には、当該側壁部２２に対して垂直に外側に突出する直方体状の第１挿入係合部（図示略）が形成されている。
第１挿入係合部は、第２ボックス構成部材４０に形成された第２挿入係合受部４７（図５参照）に挿入されることで係合し、これによっても第１ボックス構成部材２０と第２ボックス構成部材４０とが接合されるようになっている。
【００２５】
また、上側の側壁部２２における外側の面には、第２ボックス構成部材４０に形成された係止片（図示略）と係合可能な係止部材２７が設けられており、これによって第１ボックス構成部材２０と第２ボックス構成部材４０を接合した状態で保持できるようになっている。
【００２６】
また、右側の側壁部２２には、外側に向かって突出されたボックスかしめ部配設部２８が形成されている。
ボックスかしめ部配設部２８は、右側の側壁部２２の上下方向のやや内側の位置から右側に突出するように形成されている。
具体的には、ボックスかしめ部配設部２８は、上側面部２８１及び下側面部２８２と、下側面部２８２の前端部に連続して設けられた前側広面部２８３と、上側側面部２８１の前端部に連続して設けられた前側狭面部２８４と、前側広面部２８３の上側部分、即ち、ボックスかしめ部配設部２８の上下方向の略中央部の右側端部に連続して設けられた右側中面部２８５と、右側中面部２８５よりも下側に前側広面部２８３の上側部分及び下側面部２８２に連続して設けられた右側下面部２８６と、右側中面部２８５よりも上側に上側面部２８１に連続して設けられた右側上面部２８７と、右側中面部２８５から右側に延設された連結部３１、…を介して設けられた４つのボックスかしめ部３０、…と、右側下面部２８６から右側に延設されネジ孔２８ａを具備する下側ネジ孔部２８８と、右側上面部２８７から右側に延設されネジ孔２８ａを具備する上側ネジ孔部２８９とを備えている。
【００２７】
上側面部２８１及び下側面部２８２は、前後方向及び左右方向に対して略平行に延在するように配設されている。下側面部２８２の前後方向の長さは、収納凹部２３の高さ（深さ）と略等しくなっている。
前側広面部２８３は、収納凹部２３の前面壁２１と略面一となるように上下方向及び左右方向に対して略平行に延在するように配設されている。
前側狭面部２８４は、前側広面部２８３よりもわずかに低くなるように段差をつけて配置され、前後方向及び左右方向に対して略平行に延在するように配設されている。
右側中面部２８５、右側下面部２８６及び右側上面部２８７は、前後方向及び上下方向に対して略平行に延在するように配設されている。
【００２８】
下側ネジ孔部２８８及び上側ネジ孔部２８９に形成された各ネジ孔２８ａは、当該基板ボックス１２が基板ホルダ６０に対してネジ止めされる際に基板ホルダ６０の螺合部（図示略）に螺子込まれる取付ネジが挿通されるものである。
なお、下側ネジ孔部２８８及び上側ネジ孔部２８９の後面側には、螺合部の中心軸がネジ孔２８ａの中心軸と前後方向にほぼ重なる位置まで螺合部を案内するように、右側端面から左側に切りかかれた切欠部（図示略）が形成されている。
【００２９】
４つのボックスかしめ部３０、…は、上下方向に所定間隔を空けて配設された４つの連結部３１、…を介して右側中面部２８５と接続されている。各ボックスかしめ部３０は、外形が前後方向に延在する円筒状に形成され、略中央部に第１ボックス構成部材２０と第２ボックス構成部材４０を固着する際にワンウェイネジ（図示略）が挿通されるネジ孔（図示略）が前後方向に沿って穿設されている。ここで、ワンウェイネジとは、締める方向にしか回すことができないネジである。
また、ボックスかしめ部３０は、ワンウェイネジ及び第２ボックス構成部材４０のボックスかしめ受部（図示略）とともにボックス固着部７０を構成している。
【００３０】
なお、ボックスかしめ部３０は、その後端のネジ孔よりも右側部分が左側部分に対して後側に突出されており、当該ボックスかしめ部３０と接合するボックスかしめ受部を右側から覆うようになっている。これにより、ボックスかしめ部３０とボックスかしめ受部の接合部分に工具等を差し込んで当該基板ボックス１２を開放する不正行為を抑制することができる。
【００３１】
各連結部３１は、各ボックスかしめ部３０の外周面と右側中面部２８５とを個別に繋ぐものである。
【００３２】
第２ボックス構成部材４０は、例えば、透光性の合成樹脂で形成されており、内部に収納した遊技制御基板を視認可能となっている。また、第２ボックス構成部材４０は、遊技制御装置１０の後面をなす略矩形状の後面壁（図示略）と、該後面壁の周囲を囲むように前側に略垂直に突出した周囲壁４２とを有し、周囲壁４２の内側に第１ボックス構成部材２０の側壁部２２が配設される。
【００３３】
後面壁の前面であって上側の周囲壁４２のすぐ下側には、当該周囲壁４２と平行なリブ状の上部案内壁（図示略）が形成され、上側の側壁部２２が左右方向にスライド可能に嵌合するスライド溝が形成されている。
また同様に、下側の周囲壁４２のすぐ上側には、当該周囲壁４２と平行なリブ状の下部案内壁（図示略）が形成され、下側の側壁部２２が左右方向にスライド可能に嵌合するスライド溝が形成されている。
【００３４】
上下の周囲壁４２、４２における外側の面には、第１ボックス構成部材２０に形成されたボックススライド係合部（図示略）と対応する位置に、各スライド係合部を受け入れるボックススライド係合受部４６、…が形成されている。
ボックススライド係合受部４６、…の各々は、上下の周囲壁４２、４２に形成されたＬ字状のスリット（図示略）と、該スリットが形成された部分の外側を覆うカバー部とからなる。
スリットは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部を受け入れる受入部とされ、スリットの外側を覆うカバー部にも、この部分に切欠状の開口が形成されている。
【００３５】
また、上下の周囲壁４２、４２における外側の面には、周囲壁４２に対して略垂直に外側に突出する直方体状のスライド係合部（図示略）が複数（例えば、上下２個ずつ）形成されている。
【００３６】
左側の周囲壁４２には、第１ボックス構成部材２０に形成された第１挿入係合部（図示略）と対応する位置に、該挿入係合部を受け入れる２つの第２挿入係合受部４７、４７が形成されている。
そして、第１ボックス構成部材２０と第２ボックス構成部材４０とを組み合わせた状態で第１ボックス構成部材２０を左方向へスライドすることにより、第２挿入係合受部４７に第１挿入係合部が挿入されるようになっている。
【００３７】
また、上側の周囲壁４２における外側の面には、第１ボックス構成部材２０に設けられた係止部材２７と対応する位置に係止片（図示略）が形成されている。
係止片は、外側へ向かって突出する突条であって、右側面が左側へ向かって周囲壁４２からの突出量が増加する斜面とされ、左側面は周囲壁４２に対して垂直な面とされている。そして、係止片に係止部材２７が係止することによって、後述するように、第１ボックス構成部材２０と第２ボックス構成部材４０とが接合した状態が保持される。
【００３８】
また、右側の周囲壁４２の外側の面には、第１ボックス構成部材２０に設けられたボックスかしめ部３０、…に対応するように４つのボックスかしめ受部がそれぞれ第２ボックス構成部材４０から延設された接続部４９を介して設けられている。
【００３９】
ボックスかしめ受部は、外形が前後方向に延在する円柱状に形成され、略中央部に第１ボックス構成部材２０と第２ボックス構成部材４０を固着する際にワンウェイネジが螺子込まれるネジ穴（図示略）が当該ボックスかしめ受部の前端面から後側に前後方向に沿って穿設されている。
また、ボックスかしめ受部は、第１ボックス構成部材２０と第２ボックス構成部材４０１０とを接合させることによってボックスかしめ部３０、…と対向配置され、ボックスかしめ部３０のネジ孔とボックスかしめ受部のネジ穴が連通された状態となる。
【００４０】
また、右側の周囲壁４２の外側の面のボックスかしめ受部の上下両側には、当該周囲壁４２に対して略垂直に外側に突出する直方体状のボックス挿入係合部が形成されている。
【００４１】
上下の周囲壁４２、４２は、ボックスかしめ部配設部２８の上側面部２８１及び下側面部２８２よりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
これにより、第１ボックス構成部材２０と第２ボックス構成部材４０が接合された状態で、右側の周囲壁４２は、第１ボックス構成部材２０の右側の側壁部２２よりも右側に配置されるとともに、上下の周囲壁４２、４２は、ボックスかしめ部配設部２８の上側面部２８１及び下側面部２８２よりも外側に配置される。
【００４２】
４つのボックスかしめ部３０、…には、予めワンウェイネジが仮止めされている。そして、４つのボックスかしめ部３０、…の何れかに仮止めされているワンウェイネジがボックスかしめ部３０のネジ孔と当該ネジ孔に対向配置されたボックスかしめ受部のネジ穴に螺子込まれることで第１ボックス構成部材２０と第２ボックス構成部材４０が固着されている。
なお、ボックスかしめ部３０の前面は、ワンウェイネジのネジ頭部が露出しないようにキャップ３３により封止されている。
【００４３】
以上のような構成を有する基板ボックス１２は、第１ボックス構成部材２０と第２ボックス構成部材４０を接合する際には、先ず、第１ボックス構成部材２０のボックススライド係合部を第２ボックス構成部材４０のボックススライド係合受部４６、…に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０のスライド溝に嵌合する。
そして、この状態で、第１ボックス構成部材２０を左方向へスライドさせることで、ボックススライド係合部とボックススライド係合受部４６、…が係合するとともに、第１挿入係合部が第２挿入係合受部４７、４７に挿入されて係合した状態となる。
これにより、第１ボックス構成部材２０と第２ボックス構成部材４０とが接合した状態となる。
【００４４】
また、第１ボックス構成部材２０に設けられた係止部材２７は、上述のように第１ボックス構成部材２０を左方向にスライドさせる過程で係止片の右側面の斜面に当接し、さらに左方向にスライドすることで、係止部材２７が弾性変形して係止片の斜面に沿って案内される。そして、係止部材２７の係止部が係止片を乗り越えると、弾性変形していた係止部材２７が元の状態に復帰し、係止片の垂直な左端面に係止部材２７が係止される。
このように、係止部材２７の係止部が係止片を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００４５】
第１ボックス構成部材２０と第２ボックス構成部材４０とが接合した状態では、ボックス固着部７０をなすボックスかしめ部３０、…とボックスかしめ受部とが対向するように配され、固着可能な状態となる。そして、４つのボックスかしめ部３０、…のうち、何れか（例えば、最も上側）のボックスかしめ部３０のネジ孔に仮止めされているワンウェイネジを当該ネジ孔に対向配置されたボックスかしめ受部のネジ穴に螺子込むことで第１ボックス構成部材２０と第２ボックス構成部材４０を固着する。
また、ボックス固着部７０による固着を解除するためには、ワンウェイネジにより固着されているボックスかしめ受部５０の接続部４９、若しくはボックスかしめ部３０の連結部３１を切断することにより行う。即ち、ボックス固着部７０は、痕跡が残るような方法でのみ固着解除可能とされている。
なお、ワンウェイネジによる固着を行う前であれば、係止部材２７を上側に引き上げるように弾性変形させて係止片による係止部の係止状態を解除し、第１ボックス構成部材２０を右方向へスライドさせることで、第１ボックス構成部材２０と第２ボックス構成部材４０の接合状態を解除することができる。
【００４６】
基板ボックス１２が取り付けられる基板ホルダ６０は、例えば、透光性の合成樹脂で形成されており、基板ボックス１２が保持されるホルダ本体部６１と、ホルダ本体部６１の左側に設けられ、２つの回動軸６２ａ、６２ａを具備する回動軸部６２等を備えている。
【００４７】
ホルダ本体部６１は、上下方向及び左右方向に対して略平行に延設された部材であり、その後面には補強用のリブが上下左右に複数形成されている。具体的には、図３及び図６等に示すように、ホルダ本体部６１には、上下方向に対して略平行に延在する５つの縦リブ６８、…と、これら縦リブ６８、…と交差し、左右方向に対して略平行に延在する３つの横リブ６９、…とが設けられている。
【００４８】
縦リブ６８は、当該基板ホルダ６０の上端から略中央部まで延設された上側リブ部分６８１と、上側リブ部分６８１の下端部に連続して当該基板ホルダ６０の下端部まで延設され、上側リブ部分６８１よりも突出された下側リブ部分６８２とを具備している。
【００４９】
３つの横リブ６９、…のうち、最も上側の横リブ６９は、当該基板ホルダ６０の左端から最も右側の縦リブ６８の上側リブ部分６８１まで延設され、その突出量が上側リブ部分６８１と略等しくなっている。また、残り２つの横リブ６９、６９は、当該基板ホルダ６０の右端から回動軸部６２まで延設され、その突出量が下側リブ部分６８２及び当該基板ホルダ６０の下端面部６０ａと略等しくなっている。
【００５０】
回動軸部６２は、ホルダ本体部６１の左端部に連続して設けられ、上下に並んで配設された２つの回動軸６２ａ、６２ａのうち、上側の回動軸６２ａが連結部６２ｂを介して取り付けられた上側軸部取付部６２１と、下側の回動軸６２ａが連結部６２ｂを介して取り付けられた下側軸部取付部６２２等を備えている。
【００５１】
下側軸部取付部６２２は、当該基板ホルダ６０の後面から後側に突出するように形成されており、連結部６２ｂが接続された下側取付面部６２２ａと、この下側取付面部６２２ａの上端部に接続された下側第１補強板部６２２ｂと、下側取付面部６２２ａの下端部に接続された下側第２補強板部６２２ｃ等を備えている。
【００５２】
下側取付面部６２２ａは、上下方向に対して略平行に延設され、基板ホルダ６０の左端面部の一部を構成している。
下側第１補強板部６２２ｂ及び下側第２補強板部６２２ｃは、左右方向に対して略平行に延設され、略等しい長さを有している。また、下側第１補強板部６２２ｂの右端部が最も下側の横リブ６９に接続されている。また、下側第２補強板部６２２ｃの右端部が基板ホルダ６０の下端面部６０ａの左端部に接続されている。即ち、下側第２補強板部６２２ｃは、基板ホルダ６０の下端面部６０ａの一部を構成している。
【００５３】
下側取付面部６２２ａ、下側第１補強板部６２２ｂ及び下側第２補強板部６２２ｃの基板ホルダ６０の後面からの突出量は、略等しくなっており、最も下側の横リブ６９及び下端面部６０ａの突出量よりも大きくなっている。即ち、下側第１補強板部６２２ｂと下側の横リブ６９の左端部の間、下側第２補強板部６２２ｃと下端面部６０ａの左端部の間には、所定の高さを有する段差が形成されている。
【００５４】
上側軸部取付部６２１は、当該基板ホルダ６０の後面から後側に突出するように形成されており、連結部６２ｂが接続された上側取付面部６２１ａと、この上側取付面部６２１ａの上端部に接続された上側第１補強板部６２１ｂと、上側取付面部６２１ａの下端部に接続された上側第２補強板部６２１ｃ等を備えている。
【００５５】
上側取付面部６２１ａは、上下方向に対して略平行に延設され、基板ホルダ６０の左端面部の一部を構成している。
上側第１補強板部６２１ｂ及び上側第２補強板部６２１ｃは、左右方向に対して略平行に延設され略等しい長さを有している。また、上側第２補強板部６２１ｃの右端部が真ん中の横リブ６９に接続されている。
【００５６】
上側取付面部６２１ａ、上側第１補強板部６２１ｂ及び上側第２補強板部６２１ｃの基板ホルダ６０の後面からの突出量は、略等しくなっており、真ん中の横リブ６９の突出量よりも大きくなっている。即ち、上側第２補強板部６２１ｃと真ん中の横リブ６９の左端部の間には、所定の高さを有する段差が形成されている。
【００５７】
２つの回動軸６２ａ、６２ａは、上下方向に対して略平行に延在して形成され、取付ベース２の軸受部２９に軸着されることで、取付ベース２に対して上下方向の軸周りに回動自在に取付けられる。
【００５８】
上側軸部取付部６２１と下側軸部取付部６２２の間には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、最も左側の縦リブ６８の下側リブ部分６８２から左右方向左側に延在する延在部６７１の先端部（左端部）に基板ボックス１２の左端部に係合する係合爪６７２が設けられている。
【００５９】
また、ホルダ本体部６１の前面の右側部分には、中継基板（図示略）が取り付けられる中継基板取付部６３が設けられている。そして、中継基板取付部６３と回動軸部６２の間の部分が、基板ボックス１２が取り付けられるボックス取付部６４となっている。
【００６０】
ボックス取付部６４の左右方向に延在する上下縁部には、基板ボックス１２の第２ボックス構成部材４０に形成されたスライド係合部と対応する位置に、スライド係合部を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部を受け入れるための開口部となっており、この開口部を介して当該スライド係合受部６４１の内側に配されたスライド係合部は相対的に右方向に移動することにより、右側被覆部により抜け止めされた状態でスライド係合受部に係合する。
これにより、基板ボックス１２が基板ホルダ６０に取り付けられるようになっている。
【００６１】
ボックス取付部６４の右端部には、基板ボックス１２のボックス挿入係合部と対応する位置に、ボックス挿入係合部を受け入れるボックス挿入係合受部（図示略）が上下に並んで形成されている。
ボックス挿入係合受部は、外形が略直方体状に形成され、左側に向けて開口した略矩形状の開口部を有している。そして、基板ホルダ６０に対して基板ボックス１２を相対的に右方向へスライドさせることにより、ボックス挿入係合受部に開口部を介してボックス挿入係合部が挿入される。
これによっても基板ボックス１２が基板ホルダ６０に取り付けられるようになっている。
【００６２】
ボックス挿入係合受部の外側、即ち、上側のボックス挿入係合受部よりも上側及び下側のボックス挿入係合受部よりも下側には、当該基板ボックス１２を基板ホルダ６０に対してネジ止めするための取付ネジ（図示略）が下側ネジ孔部２８８及び上側ネジ孔部２８９のネジ孔２８ａを介して挿通されるネジ穴が形成された螺合部が配設されている。
【００６３】
螺合部は、前後方向に延在して前側になるにつれて縮径される円錐台形状に形成され、略中央部に取付ネジが挿入されるネジ穴が前後方向に沿って穿設されている。
螺合部の延出長は、下側ネジ孔部２８８及び上側ネジ孔部２８９に形成された各ネジ孔２８ａの下面よりも低くなる程度となっており、基板ホルダ６０に基板ボックス１２が取り付けられた状態で下側ネジ孔部２８８及び上側ネジ孔部２８９のネジ孔２８ａの下側に螺合部が配置される。即ち、基板ホルダ６０に対して基板ボックス１２を相対的に右方向へスライドさせることにより、下側ネジ孔部２８８及び上側ネジ孔部２８９の切欠部で螺合部を案内しながら右方向に移動していき、切欠部の奥側の湾曲した部分が螺合部に当接することで基板ボックス１２のスライドが停止して、下側ネジ孔部２８８及び上側ネジ孔部２８９のネジ孔２８ａの中心軸が螺合部のネジ穴の中心軸と前後にほぼ重なる位置に配置された状態となる。
【００６４】
基板ホルダ６０に取り付けられた基板ボックス１２は、制御装置固着部２００により固着される。
制御装置固着部（固着手段）２００は、基板ボックス１２のボックス固着部７０が配設された右端部とは反対側の左端部を覆うように配設され、基板ボックス１２側に設けられる上側カバー部材（第１構成部材）８０と、基板ホルダ（取付部材）６０側に設けられ、当該基板ホルダ６０及び基板ボックス１２を上側カバー部材８０とともに挟む下側カバー部材（第２構成部材）９０とを備えている。
ここで、上側カバー部材８０及び下側カバー部材９０は、ボックス固着部７０が配設される右側端部とは反対側の左側端部を覆う被覆部を構成している。
【００６５】
下側カバー部材９０は、図３〜図７に示すように、例えば、透光性の合成樹脂で形成され、基板ホルダ６０の後面を覆う後側被覆面部９１と、後側被覆面部９１の上側部分に連続して設けられ、基板ホルダ６０及び基板ボックス１２の上側部分を覆う上側被覆面部９２と、後側被覆面部９１の下側部分に連続して設けられ、基板ホルダ６０及び基板ボックス１２の下側部分を覆う下側被覆面部９３と、上側被覆面部９２及び下側被覆面部９３の左端部に連続して設けられ、４つのかしめ受部９４、…が取り付けられたかしめ受部取付面部９５とを備えている。
【００６６】
後側被覆面部９１は、上下方向及び左右方向に対して略平行に延在するように形成されている。また、後側被覆面部９１の前面には、基板ホルダ６０の最も左側の縦リブ６８の下側リブ部分６８２に係止して、当該下側カバー部材９０の基板ホルダ６０からの取り外しを規制するリブ係止部９６が設けられている。
【００６７】
リブ係止部９６は、左端の縦リブ６８の下側リブ部分６８２及びこの下側リブ部分６８２と交わる下側から２つの横リブ６９、…の位置に合わせて２つ設けられている。具体的には、リブ係止部９６は、後側被覆面部９１の前面から前側に突出するように形成され、上下方向に沿って形成された２つの縦壁部９６１、９６１と左右方向に沿って形成された２つの横壁部９６２、９６２を有している。また、２つのリブ係止部９６、９６は、左右の縦壁部９６１を上下方向に揃え、且つ、横リブ６９が通される間隔を空けて配設されている。
即ち、２つのリブ係止部９６、９６のうち、上側のリブ係止部９６は、左側から２つの縦リブ６８、６８の下側リブ部分６８２と下側から２つの横リブ６９、６９により囲まれた部分に配設され、また、下側のリブ係止部９６は、左側から２つの縦リブ６８、６８の下側リブ部分６８２と下側の横リブ６９と基板ホルダ６０の下端面部６０ａにより囲まれた部分に配設されている。そして、各リブ係止部９６は、左側の縦壁部９６１の左側面に縦リブ６８の下側部分の右側面を係止させることで、下側カバー部材９０の基板ホルダ６０に対する左方向へのスライドを規制することができ、これにより、下側カバー部材９０の基板ホルダ６０からの取り外しを規制する。
【００６８】
また、上側のリブ係止部９６の上側には、左右方向に沿って形成された壁部を具備する位置決め部９７が当該上側のリブ係止部９６との間に横リブ６９が通される間隔を空けて配設されている。
これにより、基板ホルダ６０に下側カバー部材９０を取り付けた状態で、位置決め部９７と上側リブ係止部９６の間に真ん中の横リブ６９が通されるともに、上側のリブ係止部９６と下側のリブ係止部９６の間に下側の横リブ６９が通された状態となって、下側カバー部材９０が基板ホルダ６０に取り付けられた状態で、下側カバー部材９０の基板ホルダ６０に対する上下方向の移動が規制される。
【００６９】
後側被覆面部９１の左側には、かしめ受部取付面部９５との間に開口部９８が形成されている。そして、当該開口部９８を介して上側軸部取付部６２１、下側軸部取付部６２２及び係止部６７が外側に突出するように下側カバー部材９０が基板ボックス１２に取り付けられる。
これにより、基板ボックス１２から下側カバー部材９０を取り外す場合には、後側被覆面部９１の左縁部下端部に、下側第２補強板部６２２ｃと下端面部６０ａの左端部の間に形成された段差部分が係合した状態となるため、下側カバー部材９０の取り外しを容易に行うことができなくなる。
【００７０】
上側被覆面部９２は、前後方向及び左右方向に対して略平行に延在するように略矩形状に形成されている。また、上側被覆面部９２の内面（下側面）の前側の縁部には、上側カバー部材８０の第１カバー部材係合受部８５（後述）と係合する第１カバー部材係合部９２１が２つ形成されている。
第１カバー部材係合部９２１は、上側被覆面部９２に対して略垂直に下側に突出する直方体状に形成され、左右方向に所定間隔を空けて２つ並んで配設されている。
【００７１】
下側被覆面部９３は、前後方向及び左右方向に対して略平行に延在するように形成され、左前隅部が切り欠かれることで段差が形成されている。そして、段差の右側が、上側被覆面部９２の前後方向の長さと略等しい長さを有する略矩形状の下側右被覆面部９３１とされ、段差の左側が下側右被覆面部９３１の左端部に連続して形成され、当該下側右被覆面部９３１よりも前後方向の長さが短くされた略矩形状の下側左被覆面部９３２とされている。
【００７２】
下側被覆面部９３の内面（上側面）の前側の縁部には、上側カバー部材８０の第２カバー部材係合受部８８（後述）と係合する第２カバー部材係合部９３３が２つ形成されている。
第２カバー部材係合部９３３は、当該下側被覆面部９３に対して略垂直に上側に突出する直方体状に形成され、下側右被覆面部９３１及び下側左被覆面部９３２の各々に、左右方向に所定間隔を空けるとともに前後方向に位置をずらして配設されている。
【００７３】
下側被覆面部９３の内面（上側面）の前側の縁部よりも奥側の位置には、上側カバー部材８０のガイド部１１１（後述）と係合するガイド受部９３４が２つ形成されている。
ガイド受部９３４の各々は、下側右被覆面部９３１及び下側左被覆面部９３２の各々の左端部に設けられ、左右方向に所定間隔を空けるとともに、前後方向に位置をずらして配設されている。また、ガイド受部９３４は、左側及び前側に向けて開口して、所定の深さ（前後方向の長さ）で左右方向に延在する溝部を有している。
なお、下側右被覆面部９３１のガイド受部９３４の方が下側左被覆面部９３２のガイド受部９３４よりもわずかに大きい形状となっている。
【００７４】
かしめ受部取付面部９５は、４つのかしめ受部９４、…のうち、上側２つのかしめ受部９４、９４が配設されたかしめ受部上側配設部９５１と、下側２つのかしめ受部９４、９４が配設されたかしめ受部下側配設部９５２と、かしめ受部上側配設部９５１とかしめ受部下側配設部９５２を接続する配設部接続部９５３と、かしめ受部上側配設部９５１と、かしめ受部下側配設部９５２及び配設部接続部９５３に連設された前面板部９５４とを備えている。
【００７５】
かしめ受部上側配設部９５１は、上下方向及び前後方向に対して略平行に延在するように形成され、その後端部に基板ホルダ６０の左側に設けられた上側軸部取付部６２１に接続された連結部６２ｂが配設される上側切欠部９５５が形成されている。
上側切欠部９５５は、後端部から前側に略矩形状に切り欠かれてなり、その内側に連結部６２ｂが配されるようになっている。
かしめ受部上側配設部９５１の左端面の上側切欠部９５５の前側には、２つのかしめ受部９４、９４が取付部９５６を介して配設されている。
【００７６】
取付部９５６は、上下方向に並設された２つのかしめ受部９４、９４を連結するかしめ受部連結部９５６ａと、かしめ受部連結部９５６ａとかしめ受部上側配設部９５１の左端面を接続する連結部接続部９５６ｂと、上側のかしめ受部９４とかしめ受部上側配設部９５１の左端面を接続する上接続部９５６ｃと、下側のかしめ受部９４とかしめ受部上側配設部９５１の左端面を接続する下接続部９５６ｄとを備えている。
【００７７】
かしめ受部９４は、外形が前後方向に延在する円柱状に形成され、略中央部に下側カバー部材９０と上側カバー部材８０を固着する際にワンウェイネジが螺子込まれるネジ穴９４ａが当該かしめ受部９４の前端面から前後方向に沿って穿設されている。
【００７８】
かしめ受部下側配設部９５２は、上下方向及び前後方向に対して略平行に、且つ、かしめ受部上側配設部９５１と略等しい方向に延在するように形成され、その後端部に基板ホルダ６０の左側に設けられた下側軸部取付部６２２に接続された連結部６２ｂが配設される下側切欠部９５７が形成されている。
下側切欠部９５７は、後端部から前側に略矩形状に切り欠かれてなり、その内側に連結部６２ｂが配されるようになっている。
【００７９】
かしめ受部下側配設部９５２の左端面の下側切欠部９５７の前側には、２つのかしめ受部９４、９４が取付部９５６を介して配設されている。
取付部９５６及びかしめ受部９４は、かしめ受部上側配設部９５１の左端面に配設された取付部９５６及びかしめ受部９４の構成と略同様となっており、その説明を省略する。
【００８０】
配設部接続部９５３は、かしめ受部上側配設部９５１及びかしめ受部下側配設部９５２の左端面よりも左側に突き出るように、即ち、かしめ受部上側配設部９５１及びかしめ受部下側配設部９５２の右端面よりも左側に凹むように形成されている。そして、配設部接続部９５３の凹んだ部分には、係止部６７の係合部が配設される。
【００８１】
前面板部９５４は、かしめ受部上側配設部９５１、かしめ受部下側配設部９５２及び配設部接続部９５３の前端部に連続して、上下方向及び左右方向に対して略平行に延在する板状に形成されている。
前面板部９５４の後面（内面）は、当該下側カバー部材９０が基板ホルダ６０に取り付けられた状態で、第２ボックス構成部材４０の第２挿入係合受部４７、４７と係合される。
【００８２】
上側カバー部材８０は、図４〜図６及び図８に示すように、例えば、透光性の合成樹脂で形成され、基板ボックス１２の前面を覆う前側被覆面部８１と、前側被覆面部８１の左端部に連続して設けられ、４つのかしめ部８２、…が配設されたかしめ部配設面部８３とを備えている。
【００８３】
前側被覆面部８１は、上下方向及び左右方向に対して略平行に延在するように形成されている。また、前側被覆面部８１の上端縁部には、上側被覆面部９２の上端部に係合する上端係合部８４が形成されている。
【００８４】
上端係合部８４は、前側被覆面部８１の上端部に連続して設けられ、左右方向及び前後方向に対して略平行に延在する板状に形成されている。
これにより、下側カバー部材９０に上側カバー部材８０が取り付けられることで、下側カバー部材９０の上側被覆面部９２の上端部に上側カバー部材８０の上端係合部８４が係合した状態となって、上側カバー部材８０に対する下側カバー部材９０の下側への移動を規制することができる。
【００８５】
また、前側被覆面部８１の後面（内面）の上端係合部８４の下側には、下側カバー部材９０に上側カバー部材８０が取り付けられることにより第１カバー部材係合部９２１と係合する第１カバー部材係合受部８５が２つ配設されている。
具体的には、前側被覆面部８１の後面には、上端係合部８４と略等しい方向に延在する取付板部８６が設けられ、この取付板部８６の上端面から上側に突出して略「Ｌ」字状をなす第１カバー部材係合受部８５が形成されている。
第１カバー部材係合受部８５は、左右方向に沿って延在する長片部と、この長片部の左端部及び前側被覆面部８１の後面に連続して形成された短片部とを具備している。また、第１カバー部材係合受部８５は、第１カバー部材係合部９２１と対応させて左右方向に所定間隔を空けて２つ並んで配設されている。また、第１カバー部材係合受部８５の上端と上端係合部８４との間には、下側カバー部材９０の上側被覆面部９２が通されるように当該上側被覆面部９２の厚さ（上下方向の長さ）よりもわずかに広い間隔が空けられている。
【００８６】
これにより、下側カバー部材９０に上側カバー部材８０を取り付ける場合には、第１カバー部材係合受部８５の上端と上端係合部８４との間に上側被覆面部９２を配置するとともに、第１カバー部材係合受部８５よりも右側に第１カバー部材係合部９２１を配置する。そして、下側カバー部材９０に対して上側カバー部材８０を相対的に左方向にスライドさせることで、第１カバー部材係合部９２１が第１カバー部材係合受部８５内に移動して、第１カバー部材係合受部８５内の奥側面（左端面）に当接することで第１カバー部材係合部９２１の移動が停止して、第１カバー部材係合部９２１と第１カバー部材係合受部８５が係合した状態となる。
また、この状態で、上側被覆面部９２の左前隅部がかしめ部配設面部８３の右端面（内面）に当接した状態となる。
【００８７】
前側被覆面部８１の下端右隅部には、下側被覆面部９３の下端部に係合する下端係合部８７が形成されている。
下端係合部８７は、前側被覆面部８１の下端部に連続して設けられ、左右方向及び前後方向に対して略平行に延在する板状に形成されている。
これにより、下側カバー部材９０に上側カバー部材８０が取り付けられることで、下側カバー部材９０の下側被覆面部９３の下端部に上側カバー部材８０の下端係合部８７が係合した状態となって、上側カバー部材８０に対する下側カバー部材９０の上側への移動を規制することができる。
【００８８】
また、前側被覆面部８１の左下隅部には、他の部分よりもわずかに低くなるように形成された段差面部８１ａが設けられている。
段差面部８１ａには、遊技制御基板のコネクタ１３が挿通されるコネクタ挿通開口部８１ｂが設けられている。
【００８９】
また、前側被覆面部８１の後面（内面）の下縁部には、下側カバー部材９０に上側カバー部材８０が取り付けられることにより第２カバー部材係合部９３３と係合する第２カバー部材係合受部８８が２つ配設されている。
具体的には、前側被覆面部８１の後面には、下端係合部８７と略等しい方向に延在する右側取付板部８９ａが設けられ、段差面部８１ａの後面には、右側取付板部８９ａの略等しい方向に延在する左側取付板部８９ｂが設けられている。そして、右側取付板部８９ａ及び左側取付板部８９ｂの各々の下端面から下側に突出して略「Ｌ」字状をなす第２カバー部材係合受部８８が形成されている。
第２カバー部材係合受部８８は、左右方向に沿って延在する長片部と、この長片部の左端部及び前側被覆面部８１の後面に連続して形成された短片部とを具備している。また、２つの第２カバー部材係合受部８８は、第２カバー部材係合部９３３と対応させて、左右方向に所定間隔を空けるとともに前後方向に位置をずらして配設されている。さらに、右側の第２カバー部材係合受部８８の上端と下端係合部８７との間には、下側カバー部材９０の下側被覆面部９３が通されるように当該下側被覆面部９３の厚さ（上下方向の長さ）よりもわずかに広い間隔が空けられている。
【００９０】
また、第２カバー部材係合受部８８の各々の短片部の左側には、左右方向及び前後方向に対して略平行に延在する板状に形成され、下側被覆面部９３のガイド受部９３４と係合するガイド部１１１を具備するガイド構成板部１１０が連設されている。
ガイド部１１１は、ガイド構成板部１１０の後端部から後側に突出して略矩形板状に形成されている。
【００９１】
また、右側のガイド構成板部１１０の前端部及び左端部に連続して下側右被覆面部９３１の左前隅部に当接する第１左前隅部当接部１１２が設けられている。
第１左前隅部当接部１１２は、下側右被覆面部９３１の左前隅部の形状に合わせて屈曲して形成されている。
【００９２】
また、左側のガイド構成板部１１０の前端部及び左端部に連続して下側左被覆面部９３２の左前隅部に当接する第２左前隅部当接部１１３が設けられている。
第２左前隅部当接部１１３は、下側左被覆面部９３２の左前隅部の形状に合わせて屈曲して形成されている。
【００９３】
これにより、下側カバー部材９０に上側カバー部材８０を取り付ける場合には、右側の第２カバー部材係合受部８８の下端と下端係合部８７との間に下側被覆面部９３を配置するとともに、第２カバー部材係合受部８８よりも右側に第２カバー部材係合部９３３を配置する。そして、下側カバー部材９０に対して上側カバー部材８０を相対的に左方向にスライドさせることで、下側被覆面部９３のガイド受部９３４により上側カバー部材８０のガイド部１１１が案内されながら第２カバー部材係合部９３３が第２カバー部材係合受部８８内に移動して、第２カバー部材係合受部８８内の奥側面（左端面）に当接することで第２カバー部材係合部９３３の移動が停止して、第２カバー部材係合部９３３と第２カバー部材係合受部８８が係合した状態となる。
また、この状態で、下側右被覆面部９３１の左前隅部が第１左前隅部当接部１１２の右端面（内面）に当接するとともに、下側右被覆面部９３１の左前隅部が第２左前隅部当接部１１３の右端面（内面）に当接した状態となる。
【００９４】
かしめ部配設面部８３は、４つのかしめ部８２、…のうち、上側２つのかしめ部８２、８２が配設されたかしめ部上側配設部８３１と、かしめ部上側配設部８３１の下端部に連続して形成され、下側２つのかしめ部８２、８２が配設されたかしめ部下側配設部８３２とを備えている。
【００９５】
かしめ部上側配設部８３１は、前側被覆面部８１の左端部より後側に前後方向及び上下方向に対して略平行に延在する板状に形成されている。かしめ部上側配設部８３１の前後方向の長さは、上側カバー部材８０が下側カバー部材９０に取り付けられた状態で、かしめ受部上側配設部９５１の前端部に接触しない程度とされている。
【００９６】
また、かしめ部上側配設部８３１には、かしめ受部上側配設部９５１に配設されたかしめ受部９４に対応させて、上下方向に所定間隔を空けて配設された２つの連結部８３ａ、８３ａを介して２つのかしめ部８２、８２が配設されている。
【００９７】
各かしめ部８２は、外形が前後方向に延在する円筒状に形成され、略中央部に上側カバー部材８０と下側カバー部材９０を固着する際にワンウェイネジが挿通されるネジ孔８２ａが前後方向に沿って穿設されている。ここで、かしめ部８２は、ワンウェイネジ及び下側カバー部材９０のかしめ受部９４とともに固着部を構成している。
【００９８】
なお、かしめ部８２の後端部には、ネジ孔８２ａよりも左側部分が右側部分に対して後側に突出された段差部８２ｂ（図６参照）が形成され、段差部８２ｂによって、当該かしめ部８２と接合するかしめ受部９４を左側から覆うようになっている。即ち、かしめ部８２の前後方向の長さは、当該上側カバー部材８０が下側カバー部材９０に取り付けられた状態で、当該かしめ部８２の後端部の段差部８２ｂよりも内側の部分がかしめ受部９４の前端面に当接するとともに、段差部８２ｂによりかしめ受部９４の前端部が左側から覆われる程度となっている。
これにより、かしめ部８２のネジ孔８２ａとかしめ受部９４のネジ穴９４ａが連通された状態となるとともに、かしめ部８２とかしめ受部９４の接合部分に工具等を差し込んで当該上側カバー部材８０と下側カバー部材９０の接合部分を開放する不正行為を抑制することができる。
【００９９】
かしめ部下側配設部８３２は、段差面部８１ａの左端部より後側に前後方向及び上下方向に対して略平行に延在する板状に形成されている。また、かしめ部下側配設部８３２は、かしめ部上側配設部８３１の後端部と略等しい位置まで延設され、当該かしめ部下側配設部８３２の前後方向の長さは、上側カバー部材８０が下側カバー部材９０に取り付けられた状態で、かしめ受部上側配設部９５１の前端部に接触しない程度とされている。
【０１００】
また、かしめ部下側配設部８３２には、かしめ受部下側配設部９５２に配設されたかしめ受部９４に対応させて、上下方向に所定間隔を空けて配設された２つの連結部８３ａ、８３ａを介して２つのかしめ部８２、８２が配設されている。
【０１０１】
各かしめ部８２は、かしめ部上側配設部８３１に配設されたかしめ部８２の構成と略同様となっており、その説明を省略する。
【０１０２】
４つのかしめ部８２、…には、予めワンウェイネジが仮止めされている。そして、４つのかしめ部８２、…の何れかに仮止めされているワンウェイネジがかしめ部８２のネジ孔８２ａと当該ネジ孔８２ａに対向配置されたかしめ受部９４のネジ穴９４ａに螺子込まれることで上側カバー部材８０と下側カバー部材９０が固着されている。
なお、かしめ部８２の前面は、ワンウェイネジのネジ頭部が露出しないようにキャップ１２０により封止されている。
【０１０３】
次に、基板ホルダ６０に対する基板ボックス１２の取付方法について説明する。
先ず、基板ホルダ６０のスライド係合受部６４１に基板ボックス１２のスライド係合部４１を挿入する。このとき、基板ボックス１２の底面（前側の面）により係合爪６７２が前側に押し込まれて係止部６７が撓んだ状態となる。
【０１０４】
次に、スライド係合部４１をスライド係合受部６４１に係合させるように基板ボックス１２を右方向にスライド移動させると、下側ネジ孔部２８８及び上側ネジ孔部２８９の切欠部で螺合部を案内しながら右方向に移動していく。そして、切欠部の奥側の湾曲した部分が螺合部に当接することで基板ボックス１２のスライドが停止して、下側ネジ孔部２８８及び上側ネジ孔部２８９のネジ孔２８ａの中心軸が螺合部のネジ穴の中心軸と前後にほぼ重なる位置に配置された状態となる。また、このとき、基板ボックス１２の左端部が係合爪６７２よりも右側に配置されて当該基板ボックス１２の底面による係合爪６７２の後側への押込みが解除された状態、即ち、係止部６７が撓んでいない通常状態へと復帰して、係合爪６７２が基板ボックス１２の左端部に係合した状態となる。さらに、このとき、基板ホルダ６０のボックス挿入係合受部６５に開口部を介して基板ボックス１２のボックス挿入係合部４３が挿入されて係合した状態となる。
その後、下側ネジ孔部２８８及び上側ネジ孔部２８９の各々のネジ孔２８ａを介して取付ネジを各螺合部のネジ穴に螺子込む。
【０１０５】
次に、基板ボックス１２及び基板ホルダ６０の左端部に、後側被覆面部９１の左側の開口部９８に上側軸部取付部６２１、下側軸部取付部６２２及び係止部６７を差し込むようにして下側カバー部材９０を取り付ける。具体的には、基板ホルダ６０の縦リブ６８の下側リブ部分６８２の右側面に下側カバー部材９０のリブ係止部９６の左側の縦壁部９６１の左側面を係止させ、且つ、下側カバー部材９０の位置決め部９７と上側リブ係止部９６の間に真ん中の横リブ６９を配置するとともに、上側のリブ係止部９６と下側のリブ係止部９６の間に下側の横リブ６９を配置するようにして、下側カバー部材９０を取り付ける。
これにより、下側カバー部材９０の基板ホルダ６０に対する左方向へのスライドを規制して、下側カバー部材９０の基板ホルダ６０からの取り外しを規制することができるとともに、下側カバー部材９０の基板ホルダ６０に対する上下方向の移動を規制することができる。
また、前面板部９５４の後面（内面）に第２ボックス構成部材４０の第２挿入係合受部４７、４７が係合された状態となる。
【０１０６】
次に、下側カバー部材９０に上側カバー部材８０を取り付ける。
具体的には、先ず、第１カバー部材係合受部８５の上端と上端係合部８４との間に上側被覆面部９２を配置するとともに、第１カバー部材係合受部８５よりも右側に第１カバー部材係合部９２１を配置し、且つ、右側の第２カバー部材係合受部８８の下端と下端係合部８７との間に下側被覆面部９３を配置するとともに、第２カバー部材係合受部８８よりも右側に第２カバー部材係合部９３３を配置する。
次に、下側カバー部材９０に対して上側カバー部材８０を左方向にスライドさせることで、第１カバー部材係合受部８５内に第１カバー部材係合部９２１が移動するとともに、下側被覆面部９３のガイド受部９３４により上側カバー部材８０のガイド部１１１が案内されながら第２カバー部材係合受部８８内に第２カバー部材係合部９３３が移動していく。そして、第１カバー部材係合受部８５内の奥側面（左端面）に第１カバー部材係合部９２１が当接するとともに第２カバー部材係合受部８８内の奥側面（左端面）に第２カバー部材係合部９３３が当接することにより、当該第１カバー部材係合部９２１及び第２カバー部材係合部９３３の移動が停止する。
これにより、第１カバー部材係合部９２１と第１カバー部材係合受部８５が係合し、且つ、第２カバー部材係合部９３３と第２カバー部材係合受部８８が係合した状態となる。また、この状態で、上側被覆面部９２の左前隅部がかしめ部配設面部８３の右端面（内面）に当接し、且つ、下側右被覆面部９３１の左前隅部が第１左前隅部当接部１１２の右端面（内面）に当接するとともに、下側右被覆面部９３１の左前隅部が第２左前隅部当接部１１３の右端面（内面）に当接した状態となる。
さらに、このとき、かしめ部８２の段差部８２ｂの内側にかしめ受部９４の外周部が接触して、かしめ受部９４の前端部が段差部８２ｂにより左側から覆われた状態となるとともに、かしめ部８２のネジ孔８２ａとかしめ受部９４のネジ穴９４ａが対向して連通された状態となる。
【０１０７】
そして、４つのかしめ部８２、…のうち、何れか（例えば、最も上側）のかしめ部８２のネジ孔８２ａに仮止めされているワンウェイネジを当該ネジ孔８２ａに対向配置されたかしめ受部９４のネジ穴９４ａに螺子込むことで上側カバー部材８０と下側カバー部材９０を固着する。
その後、ワンウェイネジが螺合されたかしめ部８２の前面を、ワンウェイネジのネジ頭部が露出しないようにキャップ１２０により封止する。
【０１０８】
一方、基板ホルダ６０から基板ボックス１２を取り外す場合、ワンウェイネジが螺合されているかしめ受部９４に接続されている取付部９５６（例えば、上接続部９５６ｃとかしめ受部連結部９５６ａ）、若しくはかしめ部９６の連結部８３ａを切断する。これにより、上側カバー部材８０を下側カバー部材９０から取り外し可能な状態となる。
そして、上側カバー部材８０を下側カバー部材９０から取り外した後、下側カバー部材９０を基板ホルダ６０から取り外し、その後、下側ネジ孔部２８８及び上側ネジ孔部２８９の各々のネジ孔２８ａ及び螺合部のネジ穴に螺合されている取付ネジを取り外す。
その後、係合爪６７２を後側に押し込むように係止部６７を撓ませて係合爪６７２の係合を解除することで、係止部６７は基板ボックス１２の基板ホルダ６０からの取り外しを許容した状態となる。そして、基板ボックス１２を基板ホルダ６０に対して左側にスライド移動させることで、スライド係合部４１とスライド係合受部６４１の係合が解除されて、基板ホルダ６０から基板ボックス１２が取り外される。
【０１０９】
以上のように、本実施形態の遊技機１００は、電子部品を搭載した遊技制御基板を収納した基板ボックス１２を設けた遊技機１００であって、基板ボックス１２を当該遊技機本体に取り付けるための基板ホルダ６０と、基板ホルダ６０に対して基板ボックス１２を固着する制御装置固着部２００とを備え、制御装置固着部２００は、基板ボックス１２側に設けられる上側カバー部材８０と、基板ホルダ６０側に設けられ、当該基板ホルダ６０及び基板ボックス１２を上側カバー部材８０とともに挟む下側カバー部材９０と、下側カバー部材９０に設けられ、基板ホルダ６０の縦リブ６８に係止するリブ係止部９６と、基板ホルダ６０及び基板ボックス１２を挟んだ上側カバー部材８０と下側カバー部材９０を固着するかしめ部８２、かしめ受部９４及びワンウェイネジを有する固着部とを備え、固着部は、痕跡が残るような方法でのみ固着解除可能に構成されている。
【０１１０】
従って、基板ホルダ６０に対して基板ボックス１２を固着する制御装置固着部２００は、基板ボックス１２側に設けられる上側カバー部材８０と、基板ホルダ６０側に設けられ、当該基板ホルダ６０及び基板ボックス１２を上側カバー部材８０とともに挟む下側カバー部材９０と、基板ホルダ６０及び基板ボックス１２を挟んだ上側カバー部材８０と下側カバー部材９０を固着するかしめ部８２、かしめ受部９４及びワンウェイネジを有する固着部とを備え、固着部は、痕跡が残るような方法でのみ固着解除可能に構成されているので、基板ボックス１２を基板ホルダ６０から不正に取り外すことを防止できることとなり、当該基板ボックス１２に対して工具を使用して隙間を形成して行われる不正を防止することができる。また、仮に不正行為が行われた場合には、破壊箇所の発生によりその痕跡が残り、不正行為が行われたことを迅速に発見することができる。
さらに、制御装置固着部２００は、下側カバー部材９０に設けられ、基板ボックス１２及び基板ホルダ６０の所定部位に係止するリブ係止部９６を備えるので、固着部により固着された上側カバー部材８０及び下側カバー部材９０の基板ホルダ６０に対するスライドが完全に規制され、上側カバー部材８０及び下側カバー部材９０を基板ホルダ６０及び基板ボックス１２から抜き取るようにして取り外すことも不可能となり、不正行為をより一層防止することができる。
【０１１１】
また、基板ボックス１２は、第１ボックス構成部材２０と、第２ボックス構成部材４０と、第１ボックス構成部材２０及び第２ボックス構成部材４０を固着するボックス固着部７０とを備え、制御装置固着部２００は、基板ボックス１２のボックス固着部７０が配設される右側端部とは反対側の左側端部を覆う上側カバー部材８０及び下側カバー部材９０を有している。
【０１１２】
従って、制御装置固着部２００は、基板ボックス１２のボックス固着部７０が配設される右側端部とは反対側の左側端部を覆う上側カバー部材８０及び下側カバー部材９０を有するので、基板ボックス１２の一方の端部にボックス固着部７０を備えた構成であっても、ボックス固着部７０と反対側の左側端部における第１ボックス構成部材２０と第２ボックス構成部材４０の接合部分に工具を挿入し、第１ボックス構成部材２０と第２ボックス構成部材４０を開放する方向に力を加えて、ボックス固着部７０を破壊しないで、即ち、樹脂の弾力により力を吸収して、その反対側の左側端部に隙間を形成したり、或いは、ボックス固着部７０を破壊しないで第１ボックス構成部材２０が第２ボックス構成部材４０から取り外されてしまう不正行為を適正に防止することができる。
特に、基板ボックス１２をスライド開放するように構成して、ボックス固着部７０とは反対側の左側端部に第１ボックス構成部材２０と第２ボックス構成部材４０の重合部が形成される構成にした場合であっても、その重合部に工具を差し込んで基板ボックス１２を開放する方向に強引にスライドすることで、上記不正行為が行われやすくなるが、その場合にも上側カバー部材８０及び下側カバー部材９０を設けることで、上記重合部への工具の差し込みを防止でき確実に不正行為を防止することができる。さらに、基板ボックス１２を基板ホルダ６０に取り付けた状態で行われる不正行為に対しても有効となる。
【０１１３】
また、基板ホルダ６０は、当該遊技機本体に対して回動可能に軸着する回動軸６２ａを有し、下側カバー部材９０には、回動軸６２ａを当該下側カバー部材９０よりも外側に突出させるための開口部９８が形成されている。
【０１１４】
従って、基板ホルダ６０は、当該遊技機本体に対して回動可能に軸着する回動軸６２ａを有し、下側カバー部材９０には、回動軸６２ａを外部に突出させるための開口部９８が形成されているので、基板ボックス１２が取り付けられた基板ホルダ６０を遊技機本体に対して回動自在に取り付けることができ、基板ホルダ６０の回動には何ら問題なく不正行為を防止することができる。
【０１１５】
また、下側カバー部材９０は、リブ係止部９６を備え基板ホルダ６０の裏面側には、リブ係止部９６が係止される補強用の縦リブ６８が形成されている。
【０１１６】
従って、下側カバー部材９０はリブ係止部９６を備え、当該リブ係止部９６を基板ホルダ６０の裏面側に形成された補強用の縦リブ６８に係止させたので、固着部により固着された上側カバー部材８０及び下側カバー部材９０を基板ホルダ６０から取り外すことを縦リブ６８を利用して確実に防止することができる。
【０１１７】
なお、本発明は、上記実施形態に限定されることなく、本発明の趣旨を逸脱しない範囲において、種々の改良並びに設計の変更を行っても良い。
例えば、上記実施形態では、下側カバー部材９０に基板ホルダ６０の縦リブ６８に係止するリブ係止部９６を設けるようにしたが、これに限られるものではなく、例えば、上側カバー部材に基板ボックス１２の所定部位に係止する係止部を設けるようにしても良い。
また、基板ホルダ６０に補強リブとして縦リブ６８や横リブ６９を設けるようにしたが、補強リブを備えるか否かは適宜任意に変更することができる。即ち、下側カバー部材９０や上側カバー部材８０に設けられる係止部が係止する部位は基板ボックス１２や基板ホルダ６０の如何なる場所であっても良い。
【０１１８】
また、上記実施形態では、下側カバー部材９０に回動軸６２ａを外側に突出させるための開口部９８を設けるようにしたが、下側カバー部材９０を基板ホルダ６０に取り付けた状態で、遊技機本体に軸着される回動軸６２ａによって当該遊技機本体に対して基板ホルダ６０を回動可能とするような構成であれば如何なる構成であっても良く、下側カバー部材９０に開口部９８を設けるか否かは適宜任意に変更することができる。
【０１１９】
さらに、上記実施形態では、制御装置固着部２００の上側カバー部材８０及び下側カバー部材９０によって、基板ボックス１２のボックス固着部７０が配設される右側端部とは反対側の左側端部を覆うような構成としたが、これに限られるものではなく、基板ホルダ６０からの基板ボックス１２の取り外しを困難とするような構成であれば如何なる構成であっても良く、上側カバー部材８０及び下側カバー部材９０によって基板ボックス１２のボックス固着部７０が配設される右側端部とは反対側の左側端部を被覆するか否かは適宜任意に変更することができる。
【０１２０】
なお、本発明の遊技機１００は、遊技機として、前記実施の形態に示されるようなパチンコ遊技機に限られるものではなく、例えば、その他のパチンコ遊技機、アレンジボール遊技機、雀球遊技機、パチスロ遊技機などの制御基板を備える全ての遊技機に適用可能である。
【０１２１】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０１２２】
【図１】本発明を適用した一実施形態の遊技機に備わる遊技盤の一部を示す背面図である。
【図２】図１の遊技盤に備わる遊技制御装置を拡大して示す正面図である。
【図３】図２の遊技制御装置を示す背面図である。
【図４】図２の遊技制御装置を示す斜視図である。
【図５】図４の遊技制御装置から上側カバー部材及び下側カバー部材を取り外した状態を示す分解斜視図である。
【図６】図４の遊技制御装置から上側カバー部材及び下側カバー部材を取り外した状態を示す分解斜視図であって、図５と異なる方向から見て示す図である。
【図７】図５の下側カバー部材を示す斜視図である。
【図８】図５の上側カバー部材を示す斜視図である。
【符号の説明】
【０１２３】
１００  遊技機
１０    遊技制御装置（制御装置）
１２    基板ボックス
２０    第１ボックス構成部材
４０    第２ボックス構成部材
６０    基板ホルダ（取付部材）
６２ａ  回動軸
６８    縦リブ
７０    ボックス固着部（ボックス固着手段）
２００  制御装置固着部（固着手段）
８０    上側カバー部材（第１構成部材、被覆部）
８２    かしめ部（固着部）
９０    下側カバー部材（第２構成部材、被覆部）
９４    かしめ受部（固着部）
９６    リブ係止部
９８    開口部
【図１】
0004716336.tif 000002
【図２】
0004716336.tif 000003
【図３】
0004716336.tif 000004
【図４】
0004716336.tif 000005
【図５】
0004716336.tif 000006
【図６】
0004716336.tif 000007
【図７】
0004716336.tif 000008
【図８】
0004716336.tif 000009